(57)【要約】【課題】主放電経路に存在するインピーダンスを最少化する改善されたプラズマディスプレイパネルの駆動回路を提供する。【解決手段】本発明はプラズマディスプレイ装置の主放電経路Ａに存在するパターンインピーダンスを減少させることができるプラズマディスプレイパネル駆動装置に関する。  本発明の構成によると、プラズマディスプレイパネル駆動装置において、正の電圧をブロッキングするスイッチ素子Ｙｐ１をスイッチ素子Ｙｓとバックツーバック方式で連結し、負の電圧をブロッキングするスイッチ素子Ｙｐ２をスイッチ素子Ｙｇとバックツーバック方式で連結する。したがって、主放電経路Ａにはスイッチ素子を配置しないため、パターンインピーダンスを減少させ、維持放電マージンを増加させ、さらに波形の歪曲を防止することができる。【選択図】図７
2005070787.tif 000002
【特許請求の範囲】
【請求項１】
複数の電極から形成された放電セルを有するプラズマディスプレイパネルを駆動する駆動装置において、
第１電圧を有する第１電圧電源と、
前記第１電圧電源に向かう電流の流れを遮断する第１能動素子と、
前記第１能動素子と電極との間に電気的に連結された第１スイッチと、
第２電圧を保持することができるキャパシタと、
前記キャパシタに保持された第２電圧を前記電極にさらに供給するように許容する第２スイッチと、
を含む、プラズマディスプレイパネル駆動装置。
【請求項２】
前記第１能動素子及び前記第１スイッチは、各々第１トランジスタ及び第２トランジスタで実現され、前記第１トランジスタ及び第２トランジスタは、バックツーバック方式で連結されることを特徴とする、請求項１に記載のプラズマディスプレイパネル駆動装置。
【請求項３】
前記第１トランジスタのソースは前記第１電圧電源と連結され、前記第１トランジスタ及び前記第２トランジスタのドレーンはバックツーバック連結されることを特徴とする、請求項２に記載のプラズマディスプレイパネル駆動装置。
【請求項４】
前記第１トランジスタのドレーンは前記第１電圧電源と連結され、前記第１トランジスタ及び前記第２トランジスタのソースはバックツーバック連結されることを特徴とする請求項２に記載のプラズマディスプレイパネル駆動装置。
【請求項５】
第２スイッチに定電流が流れるように制御する定電流ドライバーをさらに含むことを特徴とする、請求項３に記載のプラズマディスプレイパネル駆動装置。
【請求項６】
第２スイッチに定電流が流れるように制御する定電流ドライバーをさらに含むことを特徴とする、請求項４に記載のプラズマディスプレイパネル駆動装置。
【請求項７】
前記第１電圧より低い第３電圧を有する第３電圧電源と、
前記電極と電気的に連結された第３スイッチと、
第３スイッチと第３電圧電源との間に連結され、第３スイッチに向かう電流の流れを遮断する第２能動素子と、
をさらに含むことを特徴とする、請求項３に記載のプラズマディスプレイパネル駆動装置。
【請求項８】
前記第１電圧より低い第３電圧を有する第３電圧電源と、
前記電極と電気的に連結された第３スイッチと、
第３スイッチと第３電圧電源との間に連結され、第３スイッチに向かう電流の流れを遮断する第２能動素子と、
をさらに含むことを特徴とする、請求項４に記載のプラズマディスプレイパネル駆動装置。
【請求項９】
前記第２能動素子及び前記第３スイッチは、トランジスタ素子で実現され、前記第２能動素子及び前記第３スイッチは、バックツーバック方式で連結されることを特徴とする、請求項７に記載のディスプレイパネル駆動装置。
【請求項１０】
前記第２能動素子及び前記第３スイッチは、トランジスタ素子で実現され、前記第２能動素子及び前記第３スイッチは、バックツーバック方式で連結されることを特徴とする、請求項８に記載のディスプレイパネル駆動装置。
【請求項１１】
前記電極に印加された電圧をランプ下降させるランプ下降駆動部をさらに含むことを特徴とする、請求項１に記載のプラズマディスプレイパネル駆動装置。
【請求項１２】
前記第１スイッチ及び第３スイッチは、ＩＧＢＴ素子で実現されることを特徴とする、請求項７に記載のプラズマディスプレイ駆動装置。
【請求項１３】
前記第１スイッチ及び第３スイッチは、ＩＧＢＴ素子で実現されることを特徴とする、請求項８に記載のプラズマディスプレイ駆動装置。
【請求項１４】
維持電極及び走査電極と、アドレス電極との間に放電セルが形成されるプラズマディスプレイパネルと、
リセット期間、アドレス期間、及び維持放電期間の間に前記維持電極、走査電極、及びアドレス電極に駆動電圧を印加する駆動回路と、
を含み、
前記駆動回路は、
第１電圧を有する第１電圧電源と、
前記第１電圧電源に向かう電流の流れを遮断する第１能動素子と、
前記第１能動素子と電極との間に電気的に連結された第１スイッチと、
第２電圧を保持することができるキャパシタと、
前記キャパシタに保持された第２電圧を前記電極にさらに供給するように許容する第２スイッチと、
を含む、プラズマディスプレイ装置。
【請求項１５】
前記駆動回路において、
前記第１能動素子及び前記第１スイッチは、各々第１トランジスタ及び第２トランジスタで実現され、前記第１トランジスタ及び第２トランジスタは、バックツーバック方式で連結されることを特徴とする、請求項１４に記載のプラズマディスプレイ装置。
【請求項１６】
前記駆動回路は、
前記第１電圧より低い第３電圧を有する第３電圧電源と、
前記電極と電気的に連結された第３スイッチと、
第３スイッチと第３電圧電源との間に連結され、第３スイッチに向かう電流の流れを遮断する第２能動素子と、
をさらに含むことを特徴とする、請求項１４に記載のプラズマディスプレイ装置。
【発明の詳細な説明】
【技術分野】
【０００１】
本発明はプラズマディスプレイパネル（ＰＤＰ）の駆動回路に関し、特に主放電経路に存在するインピーダンスによる波形の歪曲を防止する駆動回路に関する。
【背景技術】
【０００２】
最近、液晶表示装置（ＬＣＤ）、電界放出表示装置（ＦＥＤ）、プラズマディスプレイパネル（ＰＤＰ）などの平面表示装置が活発に開発されている。これら平面表示装置の中でも、プラズマディスプレイパネルは、他の平面表示装置に比べて輝度及び発光効率が高く、視野角が広いという長所がある。したがって、プラズマディスプレイパネルは、４０インチ以上の大型表示装置において、従来のＣＲＴに代替される表示装置として脚光を浴びている。
【０００３】
プラズマディスプレイパネルは、気体放電によって生成されたプラズマを利用して文字または映像を表示する平面表示装置であって、その大きさによって数十から数百万個以上のピクセルがマトリックス形態に配列されている。このようなプラズマディスプレイパネルは、印加される駆動電圧波形の形態及び放電セルの構造によって、直流型（ＤＣ型）と交流型（ＡＣ型）とに区分される。
【０００４】
ＤＣ型プラズマディスプレイパネルは、電極が放電空間にそのまま露出されているので電圧が印加される間に電流が放電空間にそのまま流れ、このため、電流制限のための抵抗を設けなければならないという短所がある。これに反し、ＡＣ型プラズマディスプレイパネルは、電極を誘電体層が覆っているので自然なキャパシタンス成分の形成によって電流が制限され、放電時にイオンの衝撃から電極が保護されるため、ＤＣ型プラズマディスプレイパネルに比べて寿命が長いという長所がある。
【０００５】
図１はＡＣ型プラズマディスプレイパネルの一部斜視図である。
【０００６】
図１に示すように、第１ガラス基板１の面上には誘電体層２及び保護膜３で覆われた走査電極４及び維持電極５が対をなして平行に設置される。第２ガラス基板６の面上には絶縁体層７で覆われた複数のアドレス電極８が設置される。絶縁体層７上にはアドレス電極８と平行に隔壁９が形成されており、この結果、絶縁体層７は、アドレス電極８と隔壁９の間に配置されることとなる。また、絶縁体層７の表面及び隔壁９の両側面に蛍光体１０が形成されている。第１ガラス基板１及び第２ガラス基板６は、走査電極４とアドレス電極８、及び維持電極５とアドレス電極８が直交するように、放電空間１１を間に置いて対向して配置されている。アドレス電極８と対をなす走査電極４及び維持電極５との交差部にある放電空間が放電セル１２を形成する。
【０００７】
図２はプラズマディスプレイパネルの電極配列図である。
【０００８】
図２に示すように、プラズマディスプレイパネル電極はｍ×ｎのマトリックス構造を有しており、具体的に、列方向にはアドレス電極（Ａ１〜Ａｍが、行方向にはｎ行の走査電極（Ｙ１〜Ｙｎ）及び維持電極（Ｘ１〜Ｘｎ）が交互に配列されている。以下では、走査電極を“Ｙ電極”、維持電極を“Ｘ電極”と称する。図２に示された放電セル１２は図１に示された放電セル１２に対応する。
【０００９】
図３はプラズマディスプレイパネルを示す図面である。
【００１０】
図３に示すように、本発明によるプラズマディスプレイパネルは、プラズマパネル１０、アドレス駆動部２０、走査・維持駆動部３０、及び制御部４０を含む。
【００１１】
プラズマパネル１０は、列方向に配列されている複数のアドレス電極Ａ１〜Ａｍ、行方向に交互に配列されている複数の走査電極Ｙ１〜Ｙｎ及び維持電極Ｘ１〜Ｘｎを含む。
【００１２】
アドレス駆動部２０は、制御部４０からアドレス駆動制御信号を受信して表示しようとする放電セルを選択するための表示データ信号を各アドレス電極に印加し、無効電力を回収して再使用する電力回収回路を含む。
【００１３】
走査・維持駆動部３０は、制御部４０から維持放電信号を受信して走査電極及び維持電極に維持放電パルスを交互に入力することによって、選択された放電セルに対して維持放電を行う。
【００１４】
制御部４０は、外部から映像信号を受信してアドレス駆動制御信号及び維持放電信号を生成し、各々アドレス駆動部２０及び走査・維持駆動部３０に印加する。
【００１５】
図４は従来の技術のプラズマディスプレイパネルの駆動回路を示した図面である。
【００１６】
一般に、ＡＣ型プラズマディスプレイパネルの駆動段階は、維持放電期間、消去期間、リセット期間、及びアドレス期間から構成され、様々な波形を利用してパネルを駆動させる。
【００１７】
前記走査駆動回路は、特許文献１および２でＷｅｂｅｒによって提案された電力回収回路、第１ランプパルス供給部３１、第２ランプパルス供給部３２、及びスキャン電圧供給部３３を含んでいる。
【００１８】
以下、従来の技術における維持放電及び電力回収動作を説明する。
【００１９】
（１）スイッチＳ１が導通する直前にスイッチＳ４は導通しており、パネルＣ２の両端電圧は０に維持される。スイッチＳ１が導通すれば、キャパシタＣ１−スイッチＳ１、ダイオードＤ１−インダクタＬ１−パネルＣ２でＬＣ共振回路が形成され、パネルＣ２の両端間の電圧はＶｓまで増加する。
【００２０】
（２）そして、スイッチＳ１が遮断されてスイッチＳ３が導通すれば、この時のスイッチＳ３の両端電圧は０であるので、ゼロ電圧スイッチングを行い、パネルＣ２の両端間の電圧は＋Ｖｓを維持する。
【００２１】
（３）その後、スイッチＳ３が遮断されてスイッチＳ２が導通すれば、パネルＣ２−インダクタＬ１−ダイオードＤ２−スイッチＳ２−キャパシタＣ１でＬＣ共振回路が形成され、パネルＣ２の両端間の電圧は減少する。
【００２２】
（４）次に、スイッチＳ２が遮断されてスイッチＳ４が導通すれば、この時のスイッチＳ４の両端電圧は０であるので、ゼロ電圧スイッチングを行い、パネルＣ２の両端間の電圧は０を維持する。
【００２３】
一方、前記維持放電パルスは、第１ランプパルス供給部３１、第２ランプパルス供給部３２、及びスキャン電圧供給部３３から印加された波形が加減されて多様な駆動波形を形成する。この時、主放電経路ＡにはスイッチＹｐｐ、Ｙｎｐがスイッチングされてパネルに多様な駆動波形を供給する。前記スイッチＹｐｐ、Ｙｎｐは消去または走査動作が負のバイアスで実施される場合が存在するので、二重の経路スイッチが必要となる。
【００２４】
しかし、前記主放電経路Ａに形成されたスイッチＹｐｐ、Ｙｎｐは、パターンインピーダンスを増加させる要因となる。つまり、電極と維持放電回路との間に形成された主放電経路Ａに形成されたパターンインピーダンスは、波形を歪曲させ、電圧のオーバーシュートなどによって維持放電電圧のマージンに影響を与えるといった問題点が発生する。
【００２５】
図５ａ及び図５ｂは主放電経路のパターンインピーダンスの影響を測定したグラフである。
【００２６】
主放電経路に存在するパターンインピーダンスをインダクタンス成分として考慮する時、図５ａはパターンインピーダンスがない時の維持放電波形を測定した図面であり、図５ｂはパターンインピーダンスが０．０１μＨである時の維持放電波形を測定した図面である。
【００２７】
図５ｂに示すように、主放電経路上に形成されたパターンインピーダンスによって、維持放電波形は、正常な状態に到達する時間が遅延され、大幅なオーバーシュートが発生する。したがって、このようなパターンインピーダンスは、維持放電電圧のマージンを減少させ、波形の安定性を防害する。
【特許文献１】米国特許第４，８６６，３４９号明細書
【特許文献２】米国特許第５，０８１，４００号明細書
【発明の開示】
【発明が解決しようとする課題】
【００２８】
本発明は、前記の従来の技術の問題点を解決するためのものであって、主放電経路に存在するインピーダンスを最少化する改善されたプラズマディスプレイパネルの駆動回路を提供する。より詳しくは、維持放電回路とパネル電極との間に存在する経路上にいかなるスイッチも配置しないことにより、パターンインピーダンスを最少化することができるプラズマディスプレイパネルの駆動回路を提供する。
【課題を解決するための手段】
【００２９】
前記の課題を解決するために、本発明の一つの特徴によるプラズマディスプレイパネル駆動装置は、第１電圧を有する第１電圧電源と、前記第１電圧電源に向かう電流の流れを遮断する第１能動素子と、前記第１能動素子と電極との間に電気的に連結された第１スイッチと、第２電圧を保持することができるキャパシタと、前記キャパシタに保持された第２電圧を前記電極にさらに供給するように許容する第２スイッチと、を含む。
【００３０】
ここで、前記第１能動素子及び前記第１スイッチは、各々第１トランジスタ及び第２トランジスタで実現され、前記第１トランジスタ及び第２トランジスタは、バックツーバック方式で連結される。
【００３１】
また、本発明の他の特徴によるディスプレイ駆動装置は、前記第１トランジスタのソースは前記第１電圧電源と連結され、前記第１トランジスタ及び前記第２トランジスタのドレーンはバックツーバック連結される。
【００３２】
また、本発明の他の特徴によるディスプレイ駆動装置は、前記第１トランジスタのドレーンは前記第１電圧電源と連結され、前記第１トランジスタ及び前記第２トランジスタとのソースはバックツーバック連結される。
【発明の効果】
【００３３】
本発明の構成によって、プラズマディスプレイパネルの駆動回路の主放電経路に発生するインピーダンス成分を除去して放電のマージンを増加させることができ、波形の歪曲を防止して安定した放電動作を行うことができる。
【発明を実施するための最良の形態】
【００３４】
以下、添付した図面を参照して、本発明の実施の形態について、本発明が属する技術分野における通常の知識を有する者が容易に実施することができるように、詳細に説明する。しかし、本発明は、多様な相異した形態で実現することができ、ここで説明する実施の形態に限定されない。
【００３５】
図面で、本発明を明確に説明するために、説明と関係のない部分は省略した。明細書全体において類似した部分については、同一な図面符号を付けた。なお、ある部分が他の部分と連結されているとする時、これは直接的に連結されている場合だけでなく、他の素子を間に置いて電気的に連結されている場合も含む。また、複数の電極から形成された放電セルを有するプラズマディスプレイパネルは、従来の技術と変わらないため説明は省略する。
【００３６】
それでは、本発明の実施の形態による駆動回路について、図面を参照して詳細に説明する。
【００３７】
図６ａ及び図６ｂは本発明の実施の形態で使用されるバックツーバック（ｂａｃｋ−ｔｏ−ｂａｃｋ）連結を説明するための回路図である。
【００３８】
図６ａ及び図６ｂにはトランジスタのバックツーバック連結に対応する等価回路が各々示されている。等価回路に示されているように、バックツーバックトランジスタ連結は、ボディーダイオードＤｐ１、Ｄｐ２、Ｄｐ３、Ｄｐ４を形成し、トランジスタＭ１、Ｍ２、Ｍ３、Ｍ４のゲート駆動信号にしたがって駆動信号スイッチＳＭ１、ＳＭ２、ＳＭ３、ＳＭ４をスイッチングする。すなわち、バックツーバック連結は、トランジスタの場合を例にとれば、２つのトランジスタのソース同士またはドレーン同士が接続される直列の連結である。
【００３９】
したがって、例えば、図６ａで、トランジスタＭ１にゲート駆動信号が印加されていなくてもトランジスタＭ２にゲート駆動信号が印加されていれば、トランジスタＭ１からトランジスタＭ２へ電流が流れる。
【００４０】
図７は本発明の第１の実施の形態によるディスプレイパネルの駆動回路を示している。
【００４１】
図７に示されているように、前記ディスプレイパネルの駆動回路は、図４に示された電力回収回路及び維持放電回路を含む。前記電力回収回路はキャパシタＣ３、スイッチＹｒ、Ｙｆ、ダイオードＤｒ、Ｄｆ、スイッチＹｓ、Ｙｇ、第１電圧電源Ｖｓを含む。
【００４２】
本実施の形態においては、スイッチＹｐ１は、第１電圧を有する第１電圧電源Ｖｓに向かう電流の流れを遮断する第１能動素子である。スイッチＹｓは、スイッチＹｐ１と電極Ｃｐとの間に配置されており、主放電経路Ａ及び走査駆動回路３００を介して電極Ｃｐに電気的に接続されている。また、スイッチＹｐ１とスイッチＹｓは、各々第１トランジスタ及び第２トランジスタで実現され、スイッチＹｐ１はスイッチＹｓとバックツーバック方式で連結される。前記バックツーバック方式には、前記第１トランジスタのソースが第１電圧電源Ｖｓと連結され、前記第１トランジスタ及び前記第２トランジスタのドレーン同士が接続される場合と、前記第１トランジスタのドレーンが第１電圧電源Ｖｓと連結され、前記第１トランジスタ及び前記第２トランジスタのソース同士が接続される場合とがある。
【００４３】
スイッチＹｇは、主放電経路Ａ及び走査駆動回路３００を介して電極Ｃｐと電気的に連結される第３スイッチである。スイッチＹｐ２は、第１電圧より低い第３電圧（本実施の形態では接地電圧とする）を有する第３電圧電源とスイッチＹｇとの間に配置されており、前記第３電圧電源に向かう電流の流れを遮断する第２能動素子である。また、スイッチＹｐ２及びスイッチＹｇもトランジスタ素子で実現され、スイッチＹｐ２はスイッチＹｇとバックツーバック方式で連結される。スイッチＹｐ１、Ｙｐ２は主放電経路をスイッチする。
【００４４】
前記維持放電回路に加えて、ランプ状に上昇するパルス（ランプ上昇パルス）を供給するのに使用される第２電源ＶｓｅｔはキャパシタＣｓｅｔを経由してスイッチＹｐ１と連結され、トランジスタＹｒｒに連結される。トランジスタＹｒｒは、キャパシタＣｓｅｔに保持されうる第２電圧を、電極Ｃｐに供給することを許容する第２スイッチである。図示してはいないが、トランジスタＹｒｒのゲートには駆動電圧をランプ上昇させるための定電流ドライバーが連結されうる。前記定電流ドライバーは、前記第２スイッチに定電流が流れるように制御する。
【００４５】
また、本第１の実施の形態は、電源ＶｓｃＨ、ＶｓｃＬ、スイッチＹｓｃｓ、Ｙｓｃ、ＹｓｃＬ、キャパシタＣｓｃを含む走査駆動部と、ダイオードＤｆｒ、トランジスタＹｆｒを含むランプ下降駆動部と、ダイオードＤｅｒ、トランジスタＹｅｒを含む消去駆動部とを含む。前記ランプ下降駆動部は、電極Ｃｐに印加された電圧をランプ状に降下（以下、ランプ降下）させる。
【００４６】
図示してはいないが、前記トランジスタＹｆｒ及びトランジスタＹｅｒのゲートには駆動波形をランプ下降させるための定電流ドライバーが連結される。
【００４７】
前記走査駆動部、ランプ下降駆動部、及び消去駆動部は、均等な動作を行う従来の回路で実現しても差支えなく、本実施の形態で実現される動作は後述する。
【００４８】
図７で明確に分かるように、本発明の第１の実施の形態では、維持放電回路と電極Ｃｐとの間に存在する主放電経路Ａにはスイッチ素子が全く存在しない。したがって、従来の技術のように、主放電経路によるパターンインピーダンスが発生しない。
【００４９】
図８は本発明の実施の形態における走査電極の駆動波形と各々のスイッチの動作を示したタイミング図である。
【００５０】
プラズマディスプレイパネルの駆動段階は、維持放電期間ｔ１、消去期間ｔ２、リセット期間ｔ３、ｔ４、アドレス期間ｔ６、ｔ７からなる。
【００５１】
電圧Ｖｙは走査電極に印加される電圧の波形を示す。維持放電動作時に、維持放電期間ｔ１の間に電圧Ｖｓを有する維持放電パルスが繰り返して印加される。前記維持放電のための電圧Ｖｓのパルスが走査電極に印加される間に維持電極にはこれと反対の極性のパルスが印加される。前記維持放電動作は、図４に示された電力回収回路の動作と同一に行われる。
【００５２】
消去期間ｔ２の間には、走査電極の波形はランプ下降し、電極に積まれた壁電荷を消去する。リセット期間ｔ３、ｔ４には、強い放電を起こす電圧Ｖｓ＋Ｖｓｅｔが印加された後、徐々に電圧を減少させて、その後アドレス動作のためのリセット動作を行う。次いで、アドレス期間ｔ６、ｔ７で放電させるパネルを選択する。
【００５３】
図８に示されているように、維持放電動作は、スイッチＹｐ１、Ｙｐ２がオン状態に維持される間にスイッチＹｓ、Ｙｇが順にスイッチングされながら行われる。これは、図４に示された回路の維持放電動作と同一である。
【００５４】
次に、トランジスタＹｅｒを駆動する定電流ドライバーがオン状態になり、維持放電電圧Ｖｓがランプ下降し、消去動作を行う。
【００５５】
図９は本発明の第１の実施の形態のリセット動作を説明するための回路図である。
【００５６】
リセット動作のためのランプ上昇のために、期間ｔ３で瞬間的にスイッチＹｐ１、Ｙｐ２、Ｙｓがオン状態になって電圧Ｖｓだけ充電する。次に、トランジスタＹｒｒを駆動する定電流ドライバーがオン状態になり、波形を電圧Ｖｓ＋Ｖｓｅｔだけランプ上昇させる。その後、トランジスタＹｒｒがオフ状態になり、スイッチＹｐ１、Ｙｐ２、Ｙｇがオン状態になって電圧を減少させた後、トランジスタＹｆｒを駆動する定電流ドライバーがオン状態になって電圧を所定レベルまでランプ下降させる。
【００５７】
図１０は本発明の第１の実施の形態のアドレス動作を説明するための回路図である。
【００５８】
リセット動作が完了した後、走査駆動回路３００によって電圧Ｖｓｃのパルスが印加され、アドレス期間ｔ７でスイッチＹｓｃＬがオン状態になって瞬間的に電圧を低下させる。ここで、図示してはいないが、期間ｔ７の間にアドレス電極にアドレス電圧が印加されて、アドレス動作のための放電が起こる。
【００５９】
前記のように、本発明の第１の実施の形態は、主放電経路Ａにスイッチ素子を配置せずにパネルを駆動するための維持放電、消去、リセット、アドレス動作を行うことができる。
【００６０】
したがって、本発明の第１の実施の形態によると、主放電経路上にインピーダンス成分を発生させずにプラズマディスプレイパネルを駆動させることができる多様な波形を生成することができる。
【００６１】
図１１は本発明の第２の実施の形態による駆動回路を示す。
【００６２】
本発明の第１の実施の形態と比較してみる時、本発明の第２の実施の形態は、維持放電電圧を印加するスイッチＹｓがスイッチＹｐ３と位置が変わってバックツーバック連結される。したがって、インダクタＬ１を経由した電流はスイッチＹｐ３を経て電極Ｃｐに供給される。なお、本実施の形態においては、スイッチＹｓが、第１電圧を有する第１電圧電源Ｖｓに向かう電流の流れを遮断する第１能動素子であり、スイッチＹｐ３が第１スイッチに対応する。
【００６３】
本発明の第２の実施の形態の場合にも、図８に示されたタイミング図によって維持放電、消去、リセット、及びアドレス動作を行う。したがって、動作についての詳細な説明は省略する。
【００６４】
しかし、本発明の第２の実施の形態の場合には、電力回収回路と電極Ｃｐとの間の経路にスイッチＹｐ３を配置して、リセット期間の上昇ランプ動作（ランプ上昇）時に電力回収回路の耐圧を減少させることができる。
【００６５】
図１２ａ及び図１２ｂはランプ上昇時の本発明の第１の実施の形態及び第２の実施の形態の等価回路を各々示した図面である。
【００６６】
図７及び図１２ａから分かるように、本発明の第１の実施の形態によると、電力回収回路の両端には電圧Ｖｓ＋Ｖｓｅｔが印加される。前記のように、ランプ上昇時にはスイッチＹｐ１、Ｙｐ２、Ｙｓ、Ｙｇは全てオフ状態であるが、図６ａ及び図６ｂに説明されたバックツーバック連結で発生するボディーダイオードにより、電圧Ｖｓ＋Ｖｓｅｔが図１２ａ及び図１２ｂにおいて円で囲まれた電力回収回路に印加されて耐圧を増加させる。
【００６７】
しかし、図１１及び図１２ｂに示されているように、本発明の第２の実施の形態の場合には、スイッチＹｓとスイッチＹｐ３との配置が変更されることにより、ランプ上昇時にスイッチＹｐ３、Ｙｐ４がオフ状態になって電圧Ｖｓ＋Ｖｓｅｔが電力回収回路に対してブロックキングされる。したがって、電力回収回路の素子に対する耐圧を減少させることができる。
【００６８】
一方、本発明の第１の実施の形態及び第２の実施の形態は、従来の技術に比べて維持放電動作を行うスイッチＹｓ、Ｙｇの耐圧を増加させるが、現在は高耐圧用ＩＧＢＴ（絶縁ゲート型バイポーラトランジスタ）素子が多く開発されており、ＩＧＢＴ素子の開発によって費用も次第に減少する傾向にあるので、本発明によって安価で効果的にパターンインピーダンスの悪影響を除去することができる。
【００６９】
以上、本発明の好ましい実施の形態について詳細に説明したが、本発明の権利範囲はこれに限定されず、請求の範囲で定義している本発明の基本概念を利用した当業者の多様な変形及び改良形態も本発明の権利範囲に属する。
【図面の簡単な説明】
【００７０】
【図１】ＡＣ型プラズマディスプレイパネルの一部斜視図である。
【図２】プラズマディスプレイパネルの電極配列図である。
【図３】プラズマディスプレイパネルを示す図面である。
【図４】従来の技術のプラズマディスプレイパネルの駆動回路を示す図面である。
【図５ａ】パターンインピーダンスがない時の維持放電波形を測定した図面である。
【図５ｂ】パターンインピーダンスが０．０１μＨである時の維持放電波形を測定した図面である。
【図６ａ】本発明の実施の形態で使用されるバックツーバック連結の一の例を説明するための回路図である。
【図６ｂ】本発明の実施の形態で使用されるバックツーバック連結の他の例を説明するための回路図である。
【図７】本発明の第１の実施の形態によるディスプレイパネルの駆動回路を示す図面である。
【図８】本発明の実施の形態における走査電極の駆動波形と各々のスイッチの動作を示したタイミング図である。
【図９】本発明の第１の実施の形態のリセット動作を説明するための回路図である。
【図１０】本発明の第１の実施の形態のアドレス動作を説明するための回路図である。
【図１１】本発明の第２の実施の形態による駆動回路を示す図面である。
【図１２ａ】ランプ上昇時の本発明の第１の実施の形態及の等価回路を示す図面である。
【図１２ｂ】ランプ上昇時の本発明の第２の実施の形態の等価回路を示す図面である。
【符号の説明】
【００７１】
３００    走査駆動回路、
Ｃ３、Ｃｓｃ、Ｃｓｔ    キャパシタ、
Ｄｐ１、Ｄｐ２、Ｄｐ３、Ｄｐ４    ボディーダイオード、
Ｄｅｒ    ダイオード、
Ｌ１    インダクタ、
Ｍ１、Ｍ２、Ｍ３、Ｍ４、Ｙｒｒ、Ｙｆｒ、Ｙｅｒ    トランジスタ、
ｔ１    維持放電期間、
ｔ２    消去期間、
ｔ３、ｔ４    リセット期間、
ｔ６、ｔ７    アドレス期間、
ＳＭ１、ＳＭ２、ＳＭ３、ＳＭ４    駆動信号スイッチ、
Ｖｓ    第１電圧電源、
Ｖｓｅｔ    第２電源、
Ｙｐ１、Ｙｐ２、Ｙｐ３、Ｙｇ、Ｙｓ、Ｙｓｃｓ、Ｙｓｃ、ＹｓｃＬ    スイッチ。
【図１】
2005070787.tif 000003
【図２】
2005070787.tif 000004
【図３】
2005070787.tif 000005
【図４】
2005070787.tif 000006
【図５ａ】
2005070787.tif 000007
【図５ｂ】
2005070787.tif 000008
【図６ａ】
2005070787.tif 000009
【図６ｂ】
2005070787.tif 000010
【図７】
2005070787.tif 000011
【図８】
2005070787.tif 000012
【図９】
2005070787.tif 000013
【図１０】
2005070787.tif 000014
【図１１】
2005070787.tif 000015
【図１２ａ】
2005070787.tif 000016
【図１２ｂ】
2005070787.tif 000017